(57)【要約】【課題】ヒップアップ力を容易に調節することができるヒップアップ用ベルト付パンツを提供する。【解決手段】前布部と後布部を有するパンツ本体６と、胴回り方向に配設されるとともに後布部５の左右方向中央領域Ｙに縫着Ｇした上下に複数のヒップアップ用ベルト３を、備える。前布部４が、腹部の略全体に対応する範囲の外面全体にわたって、第１面状ファスナーを有する。ヒップアップ用ベルト３の夫々が、左右一対の突片部８を有する。突片部８が、第１面状ファスナーと着脱自在な第２面状ファスナー２を内面側に有する。第１面状ファスナーと第２面状ファスナー２を貼着させることによりヒップアップ状態を保持可能に構成する。【選択図】図５
0003121949.tif 000002
【実用新案登録請求の範囲】
【請求項１】
前布部（４）と後布部（５）を有するパンツ本体（６）と、胴回り方向に配設されるとともに上記後布部（５）の左右方向中央領域（Ｙ）に縫着（Ｇ）した上下に複数のヒップアップ用ベルト（３）を、備え、
上記前布部（４）が、腹部（Ｓ）の略全体に対応する範囲の外面（７）全体にわたって、第１面状ファスナー（１）を有するとともに、上記ヒップアップ用ベルト（３）の夫々が、左右一対の突片部（８）を有し、該突片部（８）が、上記第１面状ファスナー（１）と着脱自在な第２面状ファスナー（２）を内面（９）側に有し、上記第１面状ファスナー（１）と上記第２面状ファスナー（２）を貼着させることによりヒップアップ状態を保持可能に構成し、かつ、下側のヒップアップ用ベルト（３ａ）の上端縁部（10）が、隣接する上側のヒップアップ用ベルト（３ｂ）の下端縁部（11）の外側に重ね合さるように配設され、
少なくとも最下位置のヒップアップ用ベルト（３）が、先端上傾状に配設されており、  さらに、上記複数のヒップアップ用ベルト（３）が上記縫着（Ｇ）された縫着部（14）の上下長さ寸法（Ｈ1 ）を、股上寸法（Ａ）の80％以上 100％以下に設定し、上記複数のヒップアップ用ベルト（３）にて、臀部（Ｄ）の全体を被覆しつつ持上げ可能としたことを特徴とするヒップアップ用ベルト付パンツ。
【請求項２】
前布部（４）と後布部（５）を有するパンツ本体（６）と、左半分と右半分に分離した左突片部（８ａ）・右突片部（８ｂ）の各基端（80ａ）（80ｂ）を上記後布部（５）の左右方向中央領域（Ｙ）に縫着（Ｇ）した上下に複数のヒップアップ用ベルト（３）を、備え、
上記前布部（４）が、腹部（Ｓ）の略全体に対応する範囲の外面（７）全体にわたって、第１面状ファスナー（１）を有するとともに、上記左突片部（８ａ）・右突片部（８ｂ）の夫々が、上記第１面状ファスナー（１）と着脱自在な第２面状ファスナー（２）を内面（９）側に有し、上記第１面状ファスナー（１）と上記第２面状ファスナー（２）を貼着させることによりヒップアップ状態を保持可能に構成し、かつ、下側のヒップアップ用ベルト（３ａ）の上端縁部（10）が、隣接する上側のヒップアップ用ベルト（３ｂ）の下端縁部（11）の外側に重ね合さるように配設され、
少なくとも最下位置のヒップアップ用ベルト（３）が、先端上傾状に配設されており、  さらに、上記複数のヒップアップ用ベルト（３）が上記縫着（Ｇ）された縫着部（14）の上下長さ寸法（Ｈ2 ）を、股上寸法（Ａ）の80％以上 110％以下に設定し、上記複数のヒップアップ用ベルト（３）にて、臀部（Ｄ）の全体を被覆しつつ持上げ可能としたことを特徴とするヒップアップ用ベルト付パンツ。
【請求項３】
ヒップアップ用ベルト（３）を２枚備えた請求項１又は２記載のヒップアップ用ベルト付パンツ。
【考案の詳細な説明】
【技術分野】
【０００１】
本考案は、ヒップアップ用ベルト付パンツに関する。
【背景技術】
【０００２】
一般に、ヒップアップのためにヒップアップ用のパンツやサポーターなどが用いられている。（例えば、特許文献１、特許文献２参照）。
【０００３】
しかし、ヒップアップ用のパンツは、所定の（一定の）ヒップアップ力を付与するものであり、そのヒップアップ力を調節することができないという欠点があった。また、サポーターは、アジャストベルトにてヒップアップ力を調節するものであって、調節の際に手間がかかるとともに、パンツとは別体なので、置き忘れる虞れがあった。
【特許文献１】特開平１１−６１５０３号公報
【特許文献２】特開平９−３０２５０４号公報
【考案の開示】
【考案が解決しようとする課題】
【０００４】
解決しようとする課題は、ヒップアップ力を容易に調節できない点である。
【課題を解決するための手段】
【０００５】
そこで、本考案に係るヒップアップ用ベルト付パンツは、前布部と後布部を有するパンツ本体と、胴回り方向に配設されるとともに上記後布部の左右方向中央領域に縫着した上下に複数のヒップアップ用ベルトを、備え、上記前布部が、腹部の略全体に対応する範囲の外面全体にわたって、第１面状ファスナーを有するとともに、上記ヒップアップ用ベルトの夫々が、左右一対の突片部を有し、該突片部が、上記第１面状ファスナーと着脱自在な第２面状ファスナーを内面側に有し、上記第１面状ファスナーと上記第２面状ファスナーを貼着させることによりヒップアップ状態を保持可能に構成し、かつ、下側のヒップアップ用ベルトの上端縁部が、隣接する上側のヒップアップ用ベルトの下端縁部の外側に重ね合さるように配設され、少なくとも最下位置のヒップアップ用ベルトが、先端上傾状に配設されており、さらに、上記複数のヒップアップ用ベルトが上記縫着された縫着部の上下長さ寸法を、股上寸法の80％以上 100％以下に設定し、上記複数のヒップアップ用ベルトにて、臀部の全体を被覆しつつ持上げ可能としたものである。
【０００６】
また、前布部と後布部を有するパンツ本体と、左半分と右半分に分離した左突片部・右突片部の各基端を上記後布部の左右方向中央領域に縫着した上下に複数のヒップアップ用ベルトを、備え、上記前布部が、腹部の略全体に対応する範囲の外面全体にわたって、第１面状ファスナーを有するとともに、上記左突片部・右突片部の夫々が、上記第１面状ファスナーと着脱自在な第２面状ファスナーを内面側に有し、上記第１面状ファスナーと上記第２面状ファスナーを貼着させることによりヒップアップ状態を保持可能に構成し、かつ、下側のヒップアップ用ベルトの上端縁部が、隣接する上側のヒップアップ用ベルトの下端縁部の外側に重ね合さるように配設され、少なくとも最下位置のヒップアップ用ベルトが、先端上傾状に配設されており、さらに、上記複数のヒップアップ用ベルトが上記縫着された縫着部の上下長さ寸法を、股上寸法の80％以上 110％以下に設定し、上記複数のヒップアップ用ベルトにて、臀部の全体を被覆しつつ持上げ可能としたものである。
また、ヒップアップ用ベルトを２枚備えたものである。
【考案の効果】
【０００７】
本考案のヒップアップ用ベルト付パンツによれば、ヒップアップ力を容易に調節することができる。さらに、左右それぞれの臀部を効果的にヒップアップすることができる。
【考案を実施するための最良の形態】
【０００８】
図１・図２は、本考案の第１の実施の形態の使用状態（ヒップアップ状態）を示す。図３〜図５は、非着用展開状態を示す（図４は、図３のＸ−Ｘ断面を示す）。このヒップアップ用ベルト付パンツは、ヒップアップするために使用（着用）される。すなわち、着用の際に、後述の第１面状ファスナー１と第２面状ファスナー２の貼着位置を調節することにより、ヒップアップ用ベルト３のヒップアップ力Ｕを調節して着用される。なお、本考案に於て、「ヒップアップ」とは、臀部Ｄを上方乃至斜め上方に持ち上げることのみならず、臀部Ｄの形状を補整することをも含むものとする。そして、「ヒップアップ力」とは、臀部Ｄを上方乃至斜め上方に持ち上げる力のみならず、臀部Ｄの形状を補整する力をも含むものとする。
【０００９】
前布部４と後布部５を有するパンツ本体６と、胴回り方向に配設されるとともに後布部５の左右方向中央領域Ｙ───図２・図５に示す２点鎖線の内部領域───に縫着Ｇした上下に複数（具体的には、２枚）のヒップアップ用ベルト３を、備えている。ヒップアップ用ベルト３、前布部４、及び、後布部５が、伸縮自在な素材（例えば、合成樹脂製織布）から成る。
【００１０】
前布部４が、腹部Ｓの略全体に対応する範囲の外面７全体にわたって、第１面状ファスナー１を有する。ヒップアップ用ベルト３の夫々が、左右一対の突片部８を有する。そして、突片部８が、第１面状ファスナー１と着脱自在な第２面状ファスナー２を内面９側に有し、第１面状ファスナー１と第２面状ファスナー２を貼着させることによりヒップアップ状態を保持可能───すなわち、ヒップアップ力Ｕを調整可能───に構成されている。
【００１１】
下側のヒップアップ用ベルト３（３ａ）の上端縁部10が、隣接する上側のヒップアップ用ベルト３（３ｂ）の下端縁部11の外側に重ね合さるように配設されている。そして、上側のヒップアップ用ベルト３ｂの突片部８が、上述のように下側のヒップアップ用ベルト３ａと上側のヒップアップ用ベルト３ｂを重ね合わせる際に下側のヒップアップ用ベルト３ａの第２面状ファスナー２と着脱自在な第３面状ファスナー12を外面13側に有する。ヒップアップ状態をさらに安定して保持することができる。
少なくとも最下位置のヒップアップ用ベルト３が、（非着用展開状態に於て）先端上傾状に───すなわち、ヒップアップ用ベルト３の先端15に近づくほど上方へ向くように───配設されている。なお、図５の一点鎖線は、上下方向の中点を結んだ中心線16を示す。
【００１２】
複数のヒップアップ用ベルト３が縫着Ｇされた縫着部14の上下長さ寸法Ｈ1 が、股上寸法Ａの80％以上 100％以下に設定され、複数のヒップアップ用ベルト３にて、臀部Ｄの全体を被覆しつつ持上げ可能に構成されている。上下長さ寸法Ｈ1 が、股上寸法Ａの80％未満の場合、所望のヒップアップ状態になるようなヒップアップ力Ｕを得られない虞れがある。また、上下長さ寸法Ｈ1 が、股上寸法Ａの 100％を超える場合、着用感が悪くなる虞れがある。
【００１３】
図６は、第２の実施の形態を示す。左半分と右半分に分離した左突片部８ａ・右突片部８ｂの各基端80ａ，80ｂを後布部５の左右方向中央領域Ｙに縫着Ｇした上下に複数（２枚）のヒップアップ用ベルト３を、備える。
【００１４】
左突片部８ａ・右突片部８ｂの夫々が、第１面状ファスナー１と着脱自在な第２面状ファスナー２を内面９（図３・図４参照）側に有し、第１面状ファスナー１と第２面状ファスナー２を貼着させることによりヒップアップ状態を保持可能───すなわち、ヒップアップ力Ｕを調整可能───に構成されている。
【００１５】
複数のヒップアップ用ベルト３が縫着Ｇされた縫着部14の上下長さ寸法Ｈ2 が、股上寸法Ａの80％以上 110％以下に設定され、複数のヒップアップ用ベルト３にて、臀部Ｄの全体を被覆しつつ持上げ可能に構成されている。上下長さ寸法Ｈ2 が、股上寸法Ａの80％未満の場合、所望のヒップアップ状態になるようなヒップアップ力Ｕを得られない虞れがある。また、上下長さ寸法Ｈ2 が、股上寸法Ａの 110％を超える場合、着用感が悪くなる虞れがある。
その他の構成は、第１の実施の形態と同様である。
【００１６】
なお、本考案は、設計変更可能であって、例えば、３枚以上のヒップアップ用ベルト３を有するも良い。これらの場合、最外位置に配設されるヒップアップ用ベルト３以外のヒップアップ用ベルト３は、突片部８の外面13側に他のヒップアップ用ベルト３の第２面状ファスナー２と着脱自在な第３面状ファスナー12を有するのが好ましい。なお、３枚以上のヒップアップ用ベルト３を有する場合、複数のヒップアップ用ベルト３が縫着Ｇされた縫着部14の上下長さ寸法Ｈ2 を、股上寸法Ａの80％以上 110％以下に設定し、複数のヒップアップ用ベルト３にて、臀部Ｄの全体を被覆しつつ持上げ可能とする。
【００１７】
また、ヒップアップ用ベルト３、前布部４、後布部５が、保温力が高い素材から成るのが好ましい。例えば、チタンをコーティングするのが良い。また、ヒップアップ用ベルト３、前布部４、後布部５が、通気性を有する素材から成るのが好ましい。例えば、通気孔を有するネオプレンラバーを備えた素材から成るも良い。また、ヒップアップ用ベルト３、前布部４、後布部５を、薄めの素材から成るものとすれば、アウターに響きにくくすることができる。すなわち、服を着た状態で、本考案のヒップアップ用ベルト付パンツを着用していることが分からないにすることができる。
【００１８】
以上のように、本考案は、前布部４と後布部５を有するパンツ本体６と、胴回り方向に配設されるとともに後布部５の左右方向中央領域Ｙに縫着Ｇした上下に複数のヒップアップ用ベルト３を、備え、前布部４が、腹部Ｓの略全体に対応する範囲の外面７全体にわたって、第１面状ファスナー１を有するとともに、ヒップアップ用ベルト３の夫々が、左右一対の突片部８を有し、突片部８が、第１面状ファスナー１と着脱自在な第２面状ファスナー２を内面９側に有し、第１面状ファスナー１と第２面状ファスナー２を貼着させることによりヒップアップ状態を保持可能に構成し、かつ、下側のヒップアップ用ベルト３ａの上端縁部10が、隣接する上側のヒップアップ用ベルト３ｂの下端縁部11の外側に重ね合さるように配設され、少なくとも最下位置のヒップアップ用ベルト３が、先端上傾状に配設されており、さらに、複数のヒップアップ用ベルト３が縫着Ｇされた縫着部14の上下長さ寸法Ｈ1 を、股上寸法Ａの80％以上 100％以下に設定し、複数のヒップアップ用ベルト３にて、臀部Ｄの全体を被覆しつつ持上げ可能としたので、ヒップアップ力Ｕを容易に調節することができる。
【００１９】
すなわち、ヒップアップ用ベルト３を左右方向中央領域Ｙに縫着したので、左右の臀部Ｄのそれぞれを持ち上げることができる。つまり、効果的かつ美しくヒップアップすることができる。また、上下に複数のヒップアップ用ベルト３を備えるので、ヒップアップ力Ｕを変化させて所望のヒップアップ状態（形状）にするための微調整を容易に行なうことができる。また、ヒップアップ用ベルト３をパンツ本体６が一体化しているので、日常生活のみならず、運動などの動きをしても、ヒップアップ用ベルト３がズレ上がることなくフィットする。つまり、ズレを直すという手間を省くことができる。また、上記一体化により、ヒップアップ用ベルト３を置き忘れるのを防止することができる。
【００２０】
また、第１面状ファスナー１の面積が広くかつヒップアップ用ベルト３を複数備えるので、骨盤矯正用ベルト３を貼着させる位置の選択の幅が広く、ヒップアップ状態（ヒップアップ力Ｕの大きさや向き）をより自由かつより適切に調整することができる。また、隣接する上下のヒップアップ用ベルト３が相互に重なるので、上側のヒップアップ用ベルト３ｂと下側のヒップアップ用ベルト３ａの間に臀部Ｄの肉がだぶつくのを防止することができる。また、少なくとも最下位置のヒップアップ用ベルト３が、先端上傾状に配設されているので、容易にヒップアップしやすい状態に身体に巻き付けることができる。また、縫着部14の上下長さ寸法Ｈ1 を、股上寸法Ａの80％以上 100％以下に設定したので、効果的にヒップアップすることができる。さらに、身体に合わせてフィットさせることができ、着用感が良好である。また、骨盤のズレやＯ脚を矯正することができる。
【００２１】
また、前布部４と後布部５を有するパンツ本体６と、左半分と右半分に分離した左突片部８ａ・右突片部８ｂの各基端80ａ・80ｂを後布部５の左右方向中央領域Ｙに縫着Ｇした上下に複数のヒップアップ用ベルト３を、備え、前布部４が、腹部Ｓの略全体に対応する範囲の外面７全体にわたって、第１面状ファスナー１を有するとともに、左突片部８ａ・右突片部８ｂの夫々が、第１面状ファスナー１と着脱自在な第２面状ファスナー２を内面９側に有し、第１面状ファスナー１と第２面状ファスナー２を貼着させることによりヒップアップ状態を保持可能に構成し、かつ、下側のヒップアップ用ベルト３ａの上端縁部10が、隣接する上側のヒップアップ用ベルト３ｂの下端縁部11の外側に重ね合さるように配設され、少なくとも最下位置のヒップアップ用ベルト３が、先端上傾状に配設されており、さらに、複数のヒップアップ用ベルト３が縫着Ｇされた縫着部14の上下長さ寸法Ｈ2 を、股上寸法Ａの80％以上 110％以下に設定し、複数のヒップアップ用ベルト３にて、臀部Ｄの全体を被覆しつつ持上げ可能としたので、ヒップアップ力Ｕを容易に調節することができる。
【００２２】
すなわち、ヒップアップ用ベルト３を左右方向中央領域Ｙに縫着したので、左右の臀部Ｄのそれぞれを持ち上げることができる。つまり、効果的かつ美しくヒップアップすることができる。また、上下に複数のヒップアップ用ベルト３を備えるので、ヒップアップ力Ｕを変化させて所望のヒップアップ状態（形状）にするための微調整を容易に行なうことができる。また、ヒップアップ用ベルト３をパンツ本体６が一体化しているので、日常生活のみならず、運動などの動きをしても、ヒップアップ用ベルト３がズレ上がることなくフィットする。つまり、ズレを直すという手間を省くことができる。また、上記一体化により、ヒップアップ用ベルト３を置き忘れるのを防止することができる。
【００２３】
また、第１面状ファスナー１の面積が広くかつヒップアップ用ベルト３を複数備えるので、ヒップアップ用ベルト３を貼着させる位置の選択の幅が広く、ヒップアップ状態（ヒップアップ力Ｕの大きさや向き）をより自由かつより適切に調整することができる。また、隣接する上下のヒップアップ用ベルト３が相互に重なるので、上側のヒップアップ用ベルト３ｂと下側のヒップアップ用ベルト３ａの間に臀部Ｄの肉がだぶつくのを防止することができる。また、少なくとも最下位置のヒップアップ用ベルト３が、先端上傾状に配設されているので、容易にヒップアップしやすい状態に身体に巻き付けることができる。また、縫着部14の上下長さ寸法Ｈ1 を、股上寸法Ａの80％以上 100％以下に設定したので、効果的にヒップアップすることができる。さらに、身体に合わせてフィットさせることができ、着用感が良好である。また、骨盤のズレやＯ脚を矯正することができる。
【００２４】
また、ヒップアップ用ベルト３を２枚備えたので、容易に所望のヒップアップ力Ｕになるように調節することができる。
【図面の簡単な説明】
【００２５】
【図１】本考案の第１の実施の形態の使用状態を示す正面図である。
【図２】背面図である。
【図３】非着用展開状態を示す正面図である。
【図４】図３のＸ−Ｘ断面図である。
【図５】背面図である。
【図６】第２の実施の形態を示す背面図である。
【符号の説明】
【００２６】
１  第１面状ファスナー
２  第２面状ファスナー
３  ヒップアップ用ベルト
３ａ  下側のヒップアップ用ベルト
３ｂ  上側のヒップアップ用ベルト
４  前布部
５  後布部
６  パンツ本体
７  外面
８  突片部
８ａ  左突片部
８ｂ  右突片部
９  内面
10  上端縁部
11  下端縁部
14  縫着部
80ａ  基端
80ｂ  基端
Ａ  股上寸法
Ｄ  臀部
Ｇ  縫着
Ｈ1 上下長さ寸法
Ｈ2 上下長さ寸法
Ｓ  腹部
Ｙ  左右方向中央領域
【図１】
0003121949.tif 000003
【図２】
0003121949.tif 000004
【図３】
0003121949.tif 000005
【図４】
0003121949.tif 000006
【図５】
0003121949.tif 000007
【図６】
0003121949.tif 000008